(57)【要約】      （修正有）【課題】紙を粉砕する際に、紙屑の排出がよりスムーズになり、ブレードに巻き付きにくくなり、シュレッダーの消費電力を１０％〜２０％減らすことができ、そして、シュレッダーの故障率を低減させることができ、寿命を３０％程度延長させることができる、シュレッダーブレードを提供する。【解決手段】複数のブレード１を備えるシュレッダーブレードであって、ブレードは、縁部に複数の刃先１１が配置されているブレード本体１０を有し、隣接する２つのブレードは、反対方向に回転され１組のブレード組として構成され、ブレード組における２つのブレードの刃先が交差に重ね合わされてせん断部に形成され、刃先の背面１１０はブレードの回転方向に向けられているシュレッダーブレード。【選択図】図３
2020199441.tif 000002
【特許請求の範囲】
【請求項１】
複数のブレードを備える新規なシュレッダーブレードであって、
前記ブレードは、縁部に複数の刃先が配置されているブレード本体を有し、
隣接する２つの前記ブレードは、反対方向に回転され１組のブレード組として構成され、前記ブレード組における２つの前記ブレードの刃先が交差に重ね合わせてせん断部に形成され、
前記刃先の背面は、前記ブレードの回転方向に向けられていることを特徴とする新規なシュレッダーブレード。
【請求項２】
前記ブレードの回転方向に沿って、前記刃先の背面は前記ブレード本体の軸心と前記刃先の頂点とを結ぶ線の前方側に位置することを特徴とする請求項１に記載の新規なシュレッダーブレード。
【請求項３】
前記ブレードの回転方向に沿って、前記刃先の前面は前記ブレード本体の軸心と前記刃先の頂点とを結ぶ線の後方側に位置することを特徴とする請求項１又は２に記載の新規なシュレッダーブレード。
【請求項４】
前記刃先の前面は直線または曲線、あるいは直線と曲線の組み合わせであることを特徴とする請求項３に記載の新規なシュレッダーブレード。
【請求項５】
前記刃先の前面と、前記ブレード本体の軸心と前記刃先の頂点を結ぶ線とが成す角度は５〜８度とされていることを特徴とする請求項３に記載の新規なシュレッダーブレード。
【請求項６】
前記刃先の背面は直線または曲線、あるいは直線と曲線の組み合わせであることを特徴とする請求項１又は２に記載の新規なシュレッダーブレード。
【請求項７】
前記ブレード本体では軸心にブレード装着孔が設けられていることを特徴とする請求項１に記載の新規なシュレッダーブレード。
【請求項８】
前記刃先の前面と前記刃先の背面とが成す角度は３３〜３８度とされていることを特徴とする請求項１に記載の新規なシュレッダーブレード。
【請求項９】
紙を粉砕する際に、せん断部を構成する２組のブレードは、その上における刃先の背面の相互交差によって紙を切断するようにされていることを特徴とする請求項１〜８のいずれか１項に記載の新規なシュレッダーブレードによる紙粉砕方法。
【請求項１０】
前記ブレードの回転方向に沿って、前記刃先の背面は前記ブレード本体の軸心と前記刃先の頂点とを結ぶ線の前方側に位置し、前記刃先の前面は前記ブレード本体の軸心と前記刃先の頂点とを結ぶ線の後方側に位置することを特徴とする請求項９に記載の紙粉砕方法。
【発明の詳細な説明】
【技術分野】
【０００１】
本発明は、シュレッダーの技術分野に関し、より具体的には、新規なシュレッダーブレードおよびその紙粉砕方法に関する。
【背景技術】
【０００２】
シュレッダーは、紙を屑状に粉砕する機器であって、文書を破壊し、機密保持の目的を図り、粉砕された紙屑を容易に回収しリサイクルするものである。現在市販されているシュレッダーは、図１および図２に示すように、ブレード３の刃先３０の前面を利用して作業を進めるものであるため、刃先が紙４を破る途中で、紙屑４０が刃先３０の先端角部構造に接触する端部において刃先によって曲げられることになる。そして、刃先３０の先端角部の付け根部が窪んでおり、屑収容溝３１が形成されている。これらの２つの要因が相乗した結果、紙屑４０の一部がブレード３に引っ掛かり易くなり、紙剃り構造によってもきれいに清掃されることができず、このような状況が一旦悪化すると、ブレード組が壊れて、シュレッダー全体が失効してしまうことになる。また、従来のブレードでは、隣接する２つの刃先の距離が近いほど紙屑の収容能力が高くなるので、従来のブレードでは隣接する２つの刃先の距離をそれ以上に短縮させることができず、その結果、紙屑のサイズをそれ以上に小さくすることができず、機密性をさらに向上させることもできなくなる。
【発明の概要】
【発明が解決しようとする課題】
【０００３】
本発明が解決しようとする課題は、上述した従来技術の欠陥に鑑みて、新規なシュレッダーブレードおよびその紙粉砕方法を提供することである。
【課題を解決するための手段】
【０００４】
本発明では、その課題を解決するために採用された技術的方案は、
複数のブレードを備える新規なシュレッダーブレードであって、
前記ブレードは、縁部に複数の刃先が配置されているブレード本体を有し、
隣接する２つの前記ブレードは、反対方向に回転され１組のブレード組として構成され、前記ブレード組における２つの前記ブレードの刃先が交差に重ね合わせてせん断部に形成され、
前記刃先の背面は、前記ブレードの回転方向に向けられている、新規なシュレッダーブレードを構成することである。
【０００５】
本発明に係る新規なシュレッダーブレードにおいては、前記ブレードの回転方向に沿って、前記刃先の背面は前記ブレード本体の軸心と前記刃先の頂点とを結ぶ線の前方側に位置する。
【０００６】
本発明に係る新規なシュレッダーブレードにおいては、前記ブレードの回転方向に沿って、前記刃先の前面は前記ブレード本体の軸心と前記刃先の頂点とを結ぶ線の後方側に位置する。
【０００７】
本発明に係る新規なシュレッダーブレードにおいては、前記刃先の前面は直線または曲線、あるいは直線と曲線の組み合わせである。
【０００８】
本発明に係る新規なシュレッダーブレードにおいては、前記刃先の前面と、前記ブレード本体の軸心と前記刃先の頂点を結ぶ線とが成す角度は５〜８度とされている。
【０００９】
本発明に係る新規なシュレッダーブレードにおいては、前記刃先の背面は直線または曲線、あるいは直線と曲線の組み合わせである。
【００１０】
本発明に係る新規なシュレッダーブレードにおいては、前記ブレード本体では軸心にブレード装着孔が設けられている。
【００１１】
本発明に係る新規なシュレッダーブレードにおいては、前記刃先の前面と前記刃先の背面とが成す角度は３３〜３８度とされている。
【００１２】
上述した新規なシュレッダーブレードによる紙粉砕方法であって、紙を粉砕する際に、せん断部を構成する２組のブレードは、その上における刃先の背面の相互交差によって紙を切断するようにされている。
【００１３】
本発明に係る紙粉砕方法においては、前記ブレードの回転方向に沿って、前記刃先の背面は前記ブレード本体の軸心と前記刃先の頂点とを結ぶ線の前方側に位置し、前記刃先の前面は前記ブレード本体の軸心と前記刃先の頂点とを結ぶ線の後方側に位置する。
【発明の効果】
【００１４】
本発明の有益な効果としては、紙を粉砕する際に、せん断部を構成する２組のブレードは、その上における刃先の背面の相互交差によって紙を切断するようにされ、切断面と紙が滑らかに切り込むので、紙が曲がられることなく、形成された紙屑がまっすぐとなり、紙屑の排出がよりスムーズになり、ブレードに巻き付けにくくなり、シュレッダーの消費電力を１０％〜２０％減らすことができ、そして、シュレッダーの故障率を低減させることができ、寿命を３０％程度延長させることができる。なお、同一の紙屑桶にとって、まっすぐな紙屑がより緊密に積み重ねられるので、紙屑を２０％程度多めに収容することができる。２つのブレード同士の間隔をより小さくすることができるので、紙屑をより細かくすることができ、機密性をより一層向上させることができる。
【図面の簡単な説明】
【００１５】
本発明の実施例または従来技術における技術的方案をより明確に説明するために、図面および実施例を参照しながら本発明をさらに説明する。以下の説明における図面は、あくまでも本発明の一部の実施例にすぎず、当業者であれば、創造的な作業なしにそれらの図面に基づいて他の図面が得られるであろう。
【図１】従来のシュレッダーの構造原理図である。
【図２】従来のシュレッダーブレードの構造図である。
【図３】本発明の好ましい実施例に係る新規なシュレッダーブレードの構造原理図である。
【図４】本発明の好ましい実施例に係る新規なシュレッダーブレードのブレード構造図である。
【発明を実施するための形態】
【００１６】
以下、本発明の実施例の目的、技術的方案及び利点をより明確にするために、本発明の実施例における技術的方案を参照しながらより明確、完全に説明する。かかる実施例は本初の一部の実施例であり、全部の実施例ではないことが言うまでもない。当業者によって本発明の実施例に基づいて創造的な作業なし得られた他の実施例の全ては本発明の保護範囲内である。
【００１７】
本発明の好ましい実施例に係る新規なシュレッダーブレードは、図３及び図４に示すように、複数のブレード１を備えるものであって、ブレード１は、縁部に複数の刃先１１が配置されているブレード本体１０を有し、隣接する２つのブレード１は、反対方向に回転され１組のブレード組として構成され、ブレード組における２つのブレード１の刃先１１が交差に重ね合わせてせん断部に形成され、刃先１１の背面１１０は、ブレード１の回転方向に向けられている。紙を粉砕する際に、せん断部を構成する２組のブレード１は、その上における刃先１１の背面１１０の相互交差によって紙４を切断するようにされ、切断面と紙が滑らかに切り込むので、紙が曲がられることなく、形成された紙屑４０がまっすぐとなり、紙屑の排出がよりスムーズになり、ブレード１に巻き付けにくくなり、シュレッダーの消費電力を１０％〜２０％減らすことができ、そして、シュレッダーの故障率を低減させることができ、寿命を３０％程度延長させることができる。なお、同一の紙屑桶にとって、まっすぐな紙屑がより緊密に積み重ねられるので、紙屑を２０％程度多めに収容することができる。２つのブレード１同士の間隔をより小さくすることができるので、紙屑４０をより細かくすることができ、機密性をより一層向上させることができる。
【００１８】
好ましくは、ブレード１の回転方向に沿って、刃先１１の背面１１０はブレード本体１０の軸心と刃先１１の頂点とを結ぶ線の前方側に位置する。こうすると、刃先１１の背面１１０で切断する際に大きな切り込み角度が確保され、刃先１１の背面１１０で切断する際の切断効率が保障される。
【００１９】
好ましくは、ブレード１の回転方向に沿って、刃先１１の前面１１１はブレード本体１０の軸心と刃先１１の頂点とを結ぶ線の後方側に位置する。こうすると、刃先１１の強度が確保されるとともに、隣接する刃先の前面と背面との溝内に紙屑が残留される可能性が低くなる。
【００２０】
好ましくは、刃先１１の前面１１１は直線または曲線、あるいは直線と曲線の組み合わせである。
【００２１】
好ましくは、刃先１１の前面１１１と、ブレード本体１０の軸心と刃先１１の頂点を結ぶ線とが成す角度は５〜８度とされている。こうすると、刃先の強度確保及び残留紙屑の減少とともに、隣接する刃先１１同士の間隔が確保される。
【００２２】
好ましくは、刃先１１の背面１１０は直線または曲線、あるいは直線と曲線の組み合わせである。
【００２３】
好ましくは、ブレード本体１０では軸心にブレード装着孔１００が設けられている。こうすると、装着が容易となる。好ましくは、２つの平行回転軸が設けられており、各回転軸に複数のブレードが設けられ、回転軸はブレードのブレード装着孔に装着され、回転軸において隣接するブレード間には、他の回転軸におけるブレードの刃先が進入し、隣接する２つのブレードの刃先がせん断部として構成される。
【００２４】
好ましくは、刃先１１の前面１１１と刃先１１の背面１１０とが成す角度は３３〜３８度とされている。
【００２５】
上述した新規なシュレッダーブレードによる紙粉砕方法であって、紙を粉砕する際に、せん断部を構成する２組のブレードは、その上における刃先の背面の相互交差によって紙を切断するようにされている。こうすると、紙が曲がられることなく、形成された紙屑がまっすぐとなり、紙屑の排出がよりスムーズになり、ブレードに巻き付けにくくなり、シュレッダーの消費電力を１０％〜２０％減らすことができ、そして、シュレッダーの故障率を低減させることができ、寿命を３０％程度延長させることができる。なお、同一の紙屑桶にとって、まっすぐな紙屑がより緊密に積み重ねられるので、紙屑を２０％程度多めに収容することができる。２つのブレード同士の間隔をより小さくすることができるので、紙屑をより細かくすることができ、機密性をより一層向上させることができる。
【００２６】
好ましくは、ブレードの回転方向に沿って、刃先の背面はブレード本体の軸心と刃先の頂点とを結ぶ線の前方側に位置し、刃先の前面はブレード本体の軸心と刃先の頂点とを結ぶ線の後方側に位置する。こうすると、刃先の強度が確保されるとともに、隣接する刃先の前面と背面との溝内に紙屑が残留される可能性が低くなる。
【００２７】
当業者であれば、上記の説明に従って修正および変更を加えることができ、そのような修正および変形はすべて添付の特許請求の範囲内に含まれることが理解されるであろう。
【図１】
2020199441.tif 000003
【図２】
2020199441.tif 000004
【図３】
2020199441.tif 000005
【図４】
2020199441.tif 000006